(57)【要約】【課題】  容易かつ低コストで電柱の電気絶縁性を確保することを可能にする。【解決手段】  電気絶縁性と耐候性とを有する帯状で、裏面に接着剤が塗布され、少なくとも下部が金属製の電柱の外周面に、接着剤で接着させながら隙間なく巻き付けられることで、電柱を電気的に絶縁する電柱用絶縁テープ１である。【選択図】  図１
2020170685.tif 000002
【特許請求の範囲】
【請求項１】
電気絶縁性と耐候性とを有する帯状で、裏面に接着剤が塗布され、
少なくとも下部が金属製の電柱の外周面に、前記接着剤で接着させながら隙間なく巻き付けられることで、前記電柱を電気的に絶縁する、
ことを特徴とする電柱用絶縁テープ。
【請求項２】
表面に長手方向に延びる案内線が標示され、
前記電柱に巻き付けられる際に下側に位置する側縁を前記案内線に合わせることで、所定数だけ重なって巻き付けられる、
ことを特徴とする請求項１に記載の電柱用絶縁テープ。
【請求項３】
請求項１および２のいずれか１項に記載の電柱用絶縁テープと、
電気絶縁性を有し略円筒状で前記電柱を覆う電柱カバーと、
を備え、前記電柱を覆った前記電柱カバーの外周面に、前記電柱用絶縁テープが隙間なく巻き付けられる、
ことを特徴とする電柱用絶縁装置。
【発明の詳細な説明】
【技術分野】
【０００１】
この発明は、電力柱や通信柱などの電柱の電気絶縁性を確保するための電柱用絶縁テープおよび電柱用絶縁装置に関する。
【背景技術】
【０００２】
例えば、高圧や特別高圧の配電線路においては、金属製の電柱（金属柱）に変圧器や開閉器などの機器を配設する場合、これらの機器の外箱にＡ種接地工事を行う必要がある。このＡ種接地工事は、高圧機器による感電などの災害を防止するための接地工事であり、接地抵抗値を１０Ω以下にする必要があるため、Ｂ種接地工事などに比べて工事費が嵩む、という問題があった。
【０００３】
このため、金属柱であっても変圧器を絶縁状態に支持することができる、という変圧器絶縁支持スペーサが知られている（例えば、特許文献１参照。）。このスペーサは絶縁材で形成され、腕金の固定ボルトが固定されるスペーサ座部を枠体に備え、Ｕ字溝と長穴溝に変圧器のボルト座金を固定するスペーサボルトを保持する。そして、この変圧器絶縁支持スペーサを介して腕金に変圧器を取り付けることで、変圧器を絶縁状態で支持するものである。
【先行技術文献】
【特許文献】
【０００４】
【特許文献１】特開２００７−２０７６０８号公報
【発明の概要】
【発明が解決しようとする課題】
【０００５】
ところで、上記特許文献１に記載の変圧器絶縁支持スペーサでは、金属柱に複数の機器が配設される場合、各機器に対して変圧器絶縁支持スペーサを取り付けなければならないため、多大な労力と費用とを要する。また、既設の機器に対して絶縁処理（接地工事）が必要になった場合、機器を一旦取り外してから変圧器絶縁支持スペーサと機器を取り付けなければならず、多大な労力と費用とを要する。
【０００６】
そこで本発明は、容易かつ低コストで電柱の電気絶縁性を確保することを可能にする電柱用絶縁テープおよび電柱用絶縁装置を提供することを目的とする。
【課題を解決するための手段】
【０００７】
上記課題を解決するために、請求項１の発明は、電気絶縁性と耐候性とを有する帯状で、裏面に接着剤が塗布され、少なくとも下部が金属製の電柱の外周面に、前記接着剤で接着させながら隙間なく巻き付けられることで、前記電柱を電気的に絶縁する、ことを特徴とする電柱用絶縁テープである。
【０００８】
請求項２の発明は、請求項１に記載の電柱用絶縁テープにおいて、表面に長手方向に延びる案内線が標示され、前記電柱に巻き付けられる際に下側に位置する側縁を前記案内線に合わせることで、所定数だけ重なって巻き付けられる、ことを特徴とする。
【０００９】
請求項３の発明は、請求項１および２のいずれか１項に記載の電柱用絶縁テープと、電気絶縁性を有し略円筒状で前記電柱を覆う電柱カバーと、を備え、前記電柱を覆った前記電柱カバーの外周面に、前記電柱用絶縁テープが隙間なく巻き付けられる、ことを特徴とする電柱用絶縁装置である。
【発明の効果】
【００１０】
請求項１の発明によれば、電柱の外周面に、この電柱用絶縁テープを隙間なく巻き付けるだけで、電柱を電気的に絶縁して感電を防止することができる。すなわち、絶縁処理が必要な電柱の下部（人の手が触れたりする部分）のみにこの電柱用絶縁テープを巻き付けるだけで、感電を防止できるため、費用が嵩むＡ種接地工事を行う必要がない。しかも、電柱の下部に対する電柱用絶縁テープの巻き付けは、地上で簡単に行うことができ、停電や工事が不要である。また、従来の変圧器絶縁支持スペーサなどとは異なり、機器ごとに絶縁処理を行う必要がない。
【００１１】
このように、容易かつ低コストで電柱の電気絶縁性を確保することが可能となる。しかも、電柱用絶縁テープを巻き付けるだけでよいため、被絶縁部の改修も容易、迅速かつ低コストで行うことが可能となる。
【００１２】
請求項２の発明によれば、電柱用絶縁テープの下側の側縁を案内線に合わせて、電柱用絶縁テープを電柱に巻き付けることで、電柱用絶縁テープが所定数だけ重ねて巻き付けられるため（複数巻きにできるため）、電柱の電気絶縁性をより確実に確保することが可能となる。しかも、電柱用絶縁テープの下側の側縁を案内線に合わせるだけでよいため、経験が浅い作業者などでも、容易かつ適正に巻き付けることが可能となる。
【００１３】
請求項３の発明によれば、電柱を覆った電柱カバーの外周面に電柱用絶縁テープが巻き付けられるため、電柱の電気絶縁性をより確実に確保することが可能となる。しかも、電柱用絶縁テープが損傷などしても電柱カバーで電柱が覆われているため、電柱の電気絶縁性を確保することが可能となる。
【図面の簡単な説明】
【００１４】
【図１】この発明の実施の形態１に係る電柱用絶縁テープを示す斜視図である。
【図２】図１の電柱用絶縁テープの断面図である。
【図３】図１の電柱用絶縁テープによる絶縁対象の電柱を示す正面図である。
【図４】図１の電柱用絶縁テープを図３の電柱に巻き付けた状態を示す正面図である。
【図５】この発明の実施の形態２に係る電柱用絶縁テープを示す斜視図である。
【図６】この発明の実施の形態３に係る電柱カバーを電柱に取り付けた状態を示す正面図である。
【図７】図６のＡ−Ａ断面図である。
【発明を実施するための形態】
【００１５】
以下、この発明を図示の実施の形態に基づいて説明する。
【００１６】
（実施の形態１）
図１〜図４は、この実施の形態を示し、図１は、この実施の形態に係る電柱用絶縁テープ１が心管４に巻かれた状態を示す斜視図である。この電柱用絶縁テープ１は、電柱１０１の電気絶縁性を確保するためのテープであり、少なくとも下部が金属製である電柱１０１を絶縁処理の対象とする。すなわち、電柱１０１には、全長にわたって金属製・鋼管製の金属柱や、下部がコンクリート柱でその上が金属柱である複合柱を含む。
【００１７】
電柱用絶縁テープ１は、電気絶縁性と耐候性とを有する帯状で、裏面２ｂに接着剤が塗布された粘着テープである。すなわち、長い帯状・リボン状で、図２に示すように、電気絶縁性と耐候性とを有するテープ本体２の裏面２ｂに、接着剤からなる接着層３が設けられている。ここで、テープ本体２の電気絶縁性は、後述するようにして電柱１０１に巻き付けた際に所定の絶縁抵抗が得られるように設定され、テープ本体２の耐候性は、長期間にわたって所定の耐水性や耐紫外線性などが得られるように設定されている。換言すると、このような電気絶縁性と耐候性が得られるように、テープ本体２の材質、厚みが設定されている。また、テープ本体２の幅は、電柱１０１に巻き付けやすく、かつ、できるだけ少ない巻き数で電柱１０１に巻き付けられるように設定されている。
【００１８】
同様に、接着層３の接着性は、長期間にわたって電柱１０１に強固に接着し、かつ、長期間にわたって所定の耐水性や耐熱性などが得られるように設定されている。換言すると、このような接着性が得られるように、接着剤の材質、厚みが設定されている。
【００１９】
このような２層構造の電柱用絶縁テープ１が、管状の心管４に巻かれている。そして、後述するように、電柱１０１の外周面に、接着層３で接着させながら隙間なく巻き付けられることで、電柱１０１を電気的に絶縁するものである。
【００２０】
また、テープ本体２の表面２ａには、図１に示すように、長手方向に延びる案内線Ｌが標示されている。すなわち、表面２ａの幅中心に、テープ本体２の長手方向に平行に延びる線状の案内線Ｌが標示されている。そして、後述するように、電柱１０１に巻き付けられる際に下側に位置する側縁（例えば、第２の側縁１ｂ）を案内線Ｌに合わせることで、所定数だけ重なって巻き付けられる。つまり、この実施の形態では、電柱用絶縁テープ１が二重に巻き付けられる。ここで、テープ本体２の表面２ａ全体は、夜間でも見やすい蛍光色（例えば、黄色）で彩色されている。
【００２１】
次に、このような構成の電柱用絶縁テープ１の使用方法および、この電柱用絶縁テープ１を使用した電柱絶縁処理方法について説明する。
【００２２】
絶縁処理の対象となる電柱１０１は、図３に示すように、下端部１０１ａが地中Ｇに埋設され、上端部に腕金１０２が配設され、その下方に変圧器１０３などの高圧機器が配設されている。ここでは、簡略化のため変圧器１０３のみが配設されている場合について、以下に説明する。
【００２３】
変圧器１０３からは接地線１０４が下方に延び、その下端部１０４ａが地中Ｇに埋設されている。また、地面から所定の高さ（人が触れたりする高さ）において、電柱１０１の長手方向に沿うようにして保護管１０５が電柱１０１に取り付けられ、この保護管１０５内に接地線１０４が挿入されている。また、この実施の形態では、地面から保護管１０５の高さまでを絶縁処理が必要な絶縁処理領域とする。
【００２４】
このような電柱１０１に対して絶縁処理を行う場合、例えば、電柱１０１の地面側から電柱用絶縁テープ１を電柱１０１に巻き付ける。具体的には、例えば、電柱用絶縁テープ１の第１の側縁１ａを上側（上向き）にし第２の側縁１ｂを下側（下向き）にして、電柱１０１の外周面に接着層３を接着させて第２の側縁１ｂを案内線Ｌに重ねながら、電柱用絶縁テープ１を螺旋状に巻き付ける。これにより、電柱１０１の外周面に電柱用絶縁テープ１が隙間なく、かつ、二重に巻き付けられる。
【００２５】
この際、電柱１０１の地面近くである絶縁処理領域の下部においては、電柱用絶縁テープ１を水平に２、３重巻き付ける。同様に、絶縁処理領域の上部つまり保護管１０５付近においても、電柱用絶縁テープ１を水平に２、３重巻き付け、保護管１０５の上部を電柱用絶縁テープ１で塞ぐ。
【００２６】
このようにして電柱用絶縁テープ１が巻き付けられることで、電柱１０１の絶縁処理領域が電気的に絶縁される。ここで、電柱用絶縁テープ１が巻き付けられた電柱１０１の絶縁処理領域において、所定の絶縁性が得られるように、電柱用絶縁テープ１の電気絶縁性および重なり数（この実施の形態では、二重）が設定されている。
【００２７】
以上のように、この電柱用絶縁テープ１および電柱絶縁処理方法によれば、電柱１０１の外周面に、この電柱用絶縁テープ１を隙間なく巻き付けるだけで、電柱１０１を電気的に絶縁して感電を防止することができる。すなわち、絶縁処理が必要な電柱１０１の絶縁処理領域（人が触れたりする領域）のみにこの電柱用絶縁テープ１を巻き付けるだけで、感電を防止できるため、費用が嵩むＡ種接地工事を行う必要がない。つまり、比較的工事が簡易で低コストなＢ種接地工事などを行うだけでよい。しかも、電柱１０１の絶縁処理領域つまり下部に対する電柱用絶縁テープ１の巻き付けは、地上で簡単に行うことができ、停電や工事が不要である。また、従来の変圧器絶縁支持スペーサなどとは異なり、高圧機器ごとに絶縁処理を行う必要がない。
【００２８】
このように、容易かつ低コストで電柱１０１の電気絶縁性を確保することが可能となる。しかも、電柱用絶縁テープ１を巻き付けるだけでよいため、電柱用絶縁テープ１が巻き付けられた被絶縁部の改修も容易、迅速かつ低コストで行うことが可能となる。
【００２９】
また、電柱用絶縁テープ１の下側の側縁（例えば、第２の側縁１ｂ）を案内線Ｌに合わせて、電柱用絶縁テープ１を電柱１０１に巻き付けることで、電柱用絶縁テープ１を二重に巻き付けることができるため、電柱１０１の電気絶縁性をより確実に確保することが可能となる。しかも、電柱用絶縁テープ１の下側の側縁を案内線Ｌに合わせるだけでよいため、経験が浅い作業者などでも、容易かつ適正に巻き付けることが可能となる。
【００３０】
（実施の形態２）
図５は、この実施の形態に係る電柱用絶縁テープ１が心管４に巻かれた状態を示す斜視図である。この実施の形態では、案内線Ｌ１、Ｌ２が実施の形態１と異なり、実施の形態１と同等の構成については、同一符号を付することでその説明を省略する。
【００３１】
この実施の形態では、テープ本体２の表面２ａに、長手方向に延びる２つの案内線Ｌ１、Ｌ２が標示されている。すなわち、表面２ａを幅方向に３等分する位置に、テープ本体２の長手方向に平行に延びる線状の案内線Ｌ１、Ｌ２が標示されている。そして、電柱１０１に巻き付けられる際に、下側に位置する側縁を下側の案内線Ｌ１、Ｌ２に合わせることで、電柱用絶縁テープ１が三重に巻き付けられるものである。
【００３２】
具体的には、電柱用絶縁テープ１の第１の側縁１ａを上向きにして第２の側縁１ｂを下向きにした場合、第２の側縁１ｂを第２の案内線Ｌ２に重ねながら、電柱用絶縁テープ１を螺旋状に巻き付ける。また、電柱用絶縁テープ１の第２の側縁１ｂを上向きにして第１の側縁１ａを下向きにした場合、第１の側縁１ａを第１の案内線Ｌ１に重ねながら、電柱用絶縁テープ１を螺旋状に巻き付ける。これにより、電柱１０１の外周面に電柱用絶縁テープ１が隙間なく、かつ、三重に巻き付けられる。
【００３３】
このように、この実施の形態によれば、電柱用絶縁テープ１を三重に巻き付けることができるため、電柱１０１の電気絶縁性やその耐久性をより確実に確保することが可能となる。しかも、２つの案内線Ｌ１、Ｌ２が標示されているため、第１の側縁１ａと第２の側縁１ｂのどちらを上向きにしても、容易かつ適正に三重に巻き付けることが可能となる。
【００３４】
（実施の形態３）
図６は、この実施の形態に係る電柱用絶縁装置の電柱カバー５を電柱１０１に取り付けた状態を示す正面図である。この電柱用絶縁装置は、実施の形態１または２の電柱用絶縁テープ１と電柱カバー５とを備え、電柱用絶縁テープ１については、実施の形態１、２と同等の構成であるため、主として電柱カバー５について以下に説明する。
【００３５】
電柱カバー５は、電気絶縁性を有し略円筒状で電柱１０１の絶縁処理領域を覆うカバーである。具体的には、断面が円弧状で上下方向に延びる２つのカバー体５１、５２を備え、電柱カバー５を挟む（抱く）ようにカバー体５１、５２を配設することで、電柱１０１の絶縁処理領域を覆うものである。ここで、互いに対向するカバー体５１、５２の端部には係止部が設けられ、この係止部を係止することで、カバー体５１、５２が隙間なく連結されるとともに電柱１０１に固定されるようになっている。
【００３６】
また、一方のカバー体５１、５２には、この実施の形態では、第２のカバー体５２には、図７に示すように、外側に突出する溝状の収容部５２ａが長手方向に沿って形成され、この収容部５２ａに保護管１０５を収容できるようになっている。
【００３７】
そして、電柱１０１を覆った電柱カバー５の外周面に、電柱用絶縁テープ１が隙間なく巻き付けられるものである。すなわち、電柱１０１に対して絶縁処理を行う場合には、まず、上記のようにして電柱１０１を電柱カバー５で覆い、実施の形態１、２と同様にして、電柱カバー５の外周面に電柱用絶縁テープ１を隙間なく巻き付ける。
【００３８】
このような実施の形態によれば、電柱１０１を覆った電柱カバー５の外周面に電柱用絶縁テープ１が巻き付けられるため、電柱１０１の電気絶縁性をより確実に確保することが可能となる。しかも、電柱用絶縁テープ１が損傷などしても電柱カバー５で電柱１０１が覆われているため、電柱１０１の電気絶縁性を確保することが可能となる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態２では、テープ本体２の表面２ａに、幅を３等分する案内線Ｌ１、Ｌ２が標示されているが、実施の形態１の案内線Ｌと組み合わせてもよい。すなわち、第１の案内線Ｌ１と案内線Ｌとを標示したり、案内線Ｌ１、Ｌ２と案内線Ｌとを標示したりしてもよい。これにより、１つの電柱用絶縁テープ１で二重巻きと三重巻きの両方に対応することが可能となる。
【符号の説明】
【００４０】
１        電柱用絶縁テープ
１ａ      第１の側縁
１ｂ      第２の側縁
２        テープ本体
２ａ      表面
２ｂ      裏面
３        接着層（接着剤）
４        心管
５        電柱カバー
５１、５２  カバー体
１０１    電柱
１０２    腕金
１０３    変圧器
１０４    接地線
１０５    保護管
Ｌ、Ｌ１、Ｌ２  案内線
Ｇ        地中
【図１】
2020170685.tif 000003
【図２】
2020170685.tif 000004
【図３】
2020170685.tif 000005
【図４】
2020170685.tif 000006
【図５】
2020170685.tif 000007
【図６】
2020170685.tif 000008
【図７】
2020170685.tif 000009